(57)【特許請求の範囲】
【請求項１】
デッキの左右端に左右の脚部の基端部をそれぞれ回動可能に取付け、左右いずれか一方側の脚部の基端部側と他方側の脚部の先端部側との間に、中間部の軸止で折れ曲がる折曲斜材を筋交い状に掛け渡し、折曲斜材はその両端部でそれぞれ回動可能となって取付けられており、その他方の脚部の基端部側には連結斜材が回動可能に取付けられ、連結斜材は一方の脚部の先端部側に至る繋ぎ斜材と連続するよう固定可能となっており、連結斜材の中間部は折曲斜材の中間部と交差して回動可能であるとともに、その交差部分が折曲斜材の長手方向に移動可能となっており、左右の脚部を回動して脚部を開く際、折曲斜材が直線上に伸びるとともに、繋いだ連結斜材と繋ぎ斜材が伸びた折曲斜材とクロスして左右の脚部を支持する折り畳み台座。
【発明の詳細な説明】
【０００１】
【発明の属する技術分野】
この発明は仮設の現場や園芸など、様々な分野で使用される作業台、陳列台、ステージやその他の台座に関するものであり、特に、必要のない場合は折り畳めて運搬・収納可能な台座に関するものである。
【０００２】
【従来の技術】
建築工事の現場や園芸など、様々な分野で作業台などとして使用される台座が存在する。これら台座は、使用しない場合、或いは必要な場所に移動して使用するなど、常時一箇所に据え付けるような性格のものでなく、簡単に折畳み可能なものが一般的である。使用する場所に簡単に運搬移動し、簡単に据え付け可能で、また、不要な時の収納にも嵩張らないものが要求されるからである。
【０００３】
そのような折り畳み可能な台座として、図７に示すような台座が使用されている。図に示すのは、作業者が乗るデッキａの左右端に、脚部となる梯子ｂ・ｂの基端がそれぞれ回動可能に取付けられ、台座を立てる場合は、梯子ｂ・ｂを回動して左右に開く。その後、梯子ｂ・ｂのそれぞれ中間部に回動可能に取付けた連結材ｃ・ｃをデッキａの中間部に引っ掛けて梯子ｂ・ｂを固定して支持するものである。
【０００４】
【発明が解決しようとする課題】
このような台座における課題は、脚部ｂ・ｂの固定が充分でなく、脚部ｂ・ｂが不安定なことである。つまり、脚部ｂ・ｂは中間部からデッキａの中間部に伸びる連結材ｃ・ｃによって連結してあるだけで、脚部ｂ・ｂの下部は何も支えていない。また左右の脚部ｂ・ｂ同士を連結するものがないだけに、台座全体の構造が一体化したものということができず、支持構造として不充分であった。このような台座の上に作業員が乗ると、支持部分が不安定であるため強固に支えることが出来ずに、台座がフラつき作業員に大きな不安感を与える要因であった。また台座のフラつきが大きな事故に繋がることもあった。
【０００５】
これら台座における別の課題は、台座を簡単に開いて立脚させたり、簡単に折畳むことである。台座を立たせたとき、脚を固定する部材が複雑になればなるほど、その立脚、折り畳み作業が難しくなるもので、複雑な作業は作業時間の大きなロスになってしまう。
【０００６】
この発明は以上のような課題を解決するためになされたもので、脚部の支持構造が極めて堅固であって、フラつきが生じ難く、乗った作業員にも不安感を与えることがなく、立設・折り畳みが容易である折り畳み台座を提供することを目的とする。
【０００７】
【課題を解決するための手段】
この発明にかかる折り畳み台座は、連結部分を支点として開閉可能な左右の脚部に、たすき掛けのように斜材をクロスして掛けることにより、脚部を開いた際に斜材がクロスしてたすき掛け状態となって左右脚部を支持するものである。
【０００８】
【発明の実施の形態】
この発明にかかる折り畳み台座は、開閉して折り畳み可能な台座であって、左右の脚部間に筋交い状に斜材をクロスさせて脚を堅固に支持するものである。作業者などが乗るデッキの左右端に左右の脚部の基端が回動可能に取付けられ、左右に押し開くことによって台座が立設される。左右いずれか一方側の脚部の基端部と、他方側の脚部の先端部間に筋交い状に斜材を掛け渡すものである。斜材の一方は、一端を脚部の基端部側に取付け、他端は脚部の先端側に取付ける。同じように左右いずれかの他方側の基端部と他方の脚部の先端部間に筋交い状に斜材を掛け渡し、二本の斜材がクロスするようにする。
【０００９】
このように二本の斜材をたすき掛けのようにクロスさせることにより、台座の安定性は著しく増すことになり、フラつきも著しく軽減される。斜材は必ずしも全長が直線状の部材とは限らず、例えば一端側が二股状に開いているようなものでもよく、斜材の二股状の先端と脚部の基端側、或いは先端側を繋ぐことによって、台座のブレを抑えることができる。二本の斜材の交点が固定されることで、脚部のブレをより良好に押さえることができる。
【００１０】
二本の斜材は、脚部を閉めることでワンタッチで折り畳めるようになっている。左右の脚部は上記したように回動可能にデッキの左右端部に取付け、一方の脚部の基端部側から他方の脚部の先端部側に掛け渡した斜材は中間部の軸止めを支点として折れ曲がる折曲斜材とする。折曲部材の両端は脚部に対しそれぞれ回動可能となっている。この折曲斜材とクロスさせる連結斜材は、折曲斜材との交差部分が折曲斜材の長手方向に移動可能に連結されているとともに、反対側の脚部の先端に至る繋ぎ斜材と斜めに連続するよう固定可能となっている。連結斜材も繋ぎ斜材もそれぞれ脚部側と回動可能に連結されている。これら折曲斜材、連結斜材、繋ぎ斜材のいずれかの先端を二股状とし、二股の二点にて回動可能に脚部と連結してもよい。
【００１１】
このような台座であれば、脚部を左右に押し開くことにより、自動的に折曲斜材は軸止めが回転して直線上に伸びるとともに、連結斜材は折曲斜材との連結部分が移動して、両者がクロスする。連結斜材と繋ぎ斜材を連続させることだけで台座の立設作業は完了する。折り畳む場合は、連結斜材と繋ぎ斜材のいずれかを切り離すことにより、脚部を閉じて折り畳むことが可能である。斜材の少なくともいずれかの先端が二股状をすることで、二股となった先端二点が脚部と連結されて、台座の幅方向のブレも防ぐことができる。
【００１２】
【実施例】
以下、図に示す実施例に基づき、この発明を詳細に説明する。実施例の台座は各部品の強度を考慮して全て鋼製である。図１及び図２において１はデッキであり、鋼製枠に多数の孔をパンチングして抜いた鋼板を張ったものが使用されている。このデッキ１の左右に脚部２二対が開閉可能に取付けてある。実施例では、二本の丸パイプがそれぞれ中間部を折曲げられてほぼコ字状に形成され、左の脚部２ａ・２ａと右の脚部２ｂ・２ｂとなっている。これら脚部２ａ・２ｂの基端部、つまりは折曲げられた中間部がブラケット３によってデッキ１に回動可能に取付けられ、左右脚部２ａ・２ｂがデッキ１に対して折り畳み、開くことが可能となっている。一対の脚部２ａ・２ａ若しくは２ｂ・２ｂのそれぞれ先端、つまりは着地側近くには、丸パイプからなる中桟４ａ・４ｂがそれぞれ渡してある。左右いずれか一方側の脚部２ａ或いは２ｂの先端には、ブレーキ付きのキャスター５が各々取付けられている。脚部２ａ・２ｂの全てにキャスター５を取付けなかったのは、キャスター５によるグラつきを極力押さえるためである。
【００１３】
斜材１２，１４，１６は、脚部２ａ・２ｂの開閉と同時に自動的に伸ばし、たたむことが可能である。一方側の脚部２ａの基端部には折曲斜材１２の一端が回動可能に取付けられている。折曲斜材１２の中間部においてピン１３によって軸止めされており、このピン１３を支点として折れ曲がることが可能となっている。折曲斜材１２の他端は他方の脚部２ｂの中桟４ｂに回動可能に取付けられている。
【００１４】
他方の脚部２ｂの基端部には連結斜材１４が回動可能となっており、その中間部は折曲斜材１２の中間部に連結され、折曲斜材１２の長手方向に移動可能となっている。すなわち図５に示すように、連結斜材１４の側面に引っ掛け部材１５が回転可能に取付けられ、この引っ掛け部材１５が折曲斜材１２に引っ掛けられて長手方向に移動可能となっている。つまりは連結斜材１４と折曲斜材１２との交差点は、折曲斜材１２の長手方向に移動可能となっている。脚部２ａの中桟４ｂには、図６に示すような二股状の繋ぎ斜材１６が取付けられ、ピン８、筒９、フック１０によって連結斜材１４と連結可能となっている。
【００１５】
以上のような折り畳み台座を立てる場合につき説明する。脚部２ａ・２ｂをデッキ１に対して開くと、これに従って折曲斜材１２がピン１３を支点として回転して直線上に伸びていく。これにつられて連結斜材１４の引っ掛け部材１５が移動して、連結斜材１４も折曲斜材１２のより中間方向へ移動していく、左右の脚部２ａ・２ｂが開ききった状態で折曲斜材１２は真っ直ぐになり、連結斜材１４との交差部分もこれ以上動かずに、固定される。この状態で繋ぎ斜材１６を倒して連結斜材１４の斜度と一直線上となるようにし、フック１０を連結斜材１４のピン８に引っ掛けて、筒９を被せて固定する。台座を折り畳む場合は、以上の作業を逆に行えばよい。
【００１６】
以上のように、左右脚部２ａ・２ｂに対し、たすき掛けのように斜材１２・１４・１６をクロスして掛け、交差部分を固定することにより、両端部２ａ・２ｂのグラつきを押え、作業者に不安を与えない。また、斜材１２，１４，１６のいずれかの端部で二股状となっていれば、二点で脚部２ａ・２ｂと連結することにより、台座の幅方向、つまりは斜材１２・１４・１６直交する方向へのグラつきも押えられる。
【００１７】
実施例では、一方の斜材の下端部のみ二股状としたが、斜材のいずれか、或いは全部の端部を二股状として、二点で脚部２ａ・２ｂの基端部若しくは先端部に連結して、斜材と直交する方向へのブレを押えることも可能で、複数の端を二股状とすることを妨げない。
【００１８】
【発明の効果】
この発明は以上のような構成を有し、以下の効果を得ることができる。
＊左右の脚部間にたすき掛け状に斜材をクロスして掛けることにより、左右の脚部のグラつきを押えることが可能で、安定した台座として作業者に不安感を与えることがない。
＊斜材のいずれかの先端を二股状とし、二点で脚部の基端部若しくは先端部に連結することにより、斜材と直交する方向の台座のブレも押えることが可能で、より作業者に不安感を与えない。
＊脚部を両側へ開く或いは閉じるだけで、折曲斜材や連結斜材も自動的に斜めに移動して脚部を支えるため、台座の立設・折り畳み作業がワンタッチで行なえ、迅速な作業が可能となる。
＊斜材を折曲斜材、連結斜材と繋ぎ斜材によって構成したため、脚部を折り畳むとき斜材も折れ曲がったり分割することにより、折り畳んだサイズを小さくすることができる。
＊アルミニウムではなく部品を構成とすることにより、損傷や消耗も少なく、メンテナンスコストも低減できる。
【図面の簡単な説明】
【図１】  この発明の実施例の斜視図である。
【図２】  折り畳んだ状態から開き始めた状態の側面図である。
【図３】  脚部を開いた状態の側面図である。
【図４】  立設した状態の側面図である。
【図５】  折曲斜材と連結斜材の交差部分の斜視図である。
【図６】  折曲斜材と繋ぎ斜材の連結部分の斜視図である。
【図７】  従来の台座の側面図である。
【符号の説明】
１  デッキ
２  脚部
３  ブラケット
４  中桟
５  キャスター
９  筒
１０  フック
１１  ピン
１２  折曲斜材
１３  ピン
１４  連結斜材
１５  引っ掛け部材
１６  繋ぎ斜材
【図１】
0003846993.tif 000002
【図２】
0003846993.tif 000003
【図３】
0003846993.tif 000004
【図４】
0003846993.tif 000005
【図５】
0003846993.tif 000006
【図６】
0003846993.tif 000007
【図７】
0003846993.tif 000008